(57)【要約】本発明は、積層構造を有する建材ボード（パネル）、特に構造素子、壁素子、被覆素子、支持素子等、好適には木材または木質材料をベースとして構成し、２個の互いに離間した外側層と、少なくとも１個のこれら外側層間に配置かつ結合したコア層とによって構成した建築用ボードにおいて、２個の外側層であって、それぞれ、好適には、木材、木質材料、金属、織物材料、厚紙、プラスチック、無機質ベースの建材および岩石よりなるグループから選択した平面層材料で形成した適切な積層構造の２個の外側層（３，４）間に、コア層として、好適には、均一な木目を有する木材、または「ウッドプラスチック」よりなる材料から形成した少なくとも１層の傾斜繊維コア層（５）を配置し、この繊維は、外側層（３，４）の平面に対して＋２５°〜＋８０°である角度(＋α)および／または−２５°〜−８０°である角度(−α)をなすものとし、また傾斜繊維コア層（５）のために、正および／または負の方向に傾斜する多数の傾斜キャビティ（６，６′）を設け、これら傾斜キャビティは、このコア層を完全に横断し、それぞれの傾斜した繊維方向に平行で、好適には互いに同じ大きさを有し、かつ好適には均等に分布するものとした、ことを特徴とする。本発明はさらに、この建材ボード（パネル）の製造および利用方法に関する。
2009513383.tif 000002
【特許請求の範囲】
【請求項１】
好適には、木材または木質材料をベースとして構成した多層構造を有する建材ボードまたは構造ユニット、とくに構造用、壁用、仕切り用、支持用等のためのユニットであって、２個の互いに空間的に離れ、かつ互いに平行に配置したカバー層、およびこれらカバー層間に配置および接合した少なくとも１個のコア層によって構成した建材ボードまたは構造ユニットにおいて、
２個の、それぞれ平面的で、好適にはコンパクトな層状、プレート状またはフォイル状の材料で構成した、必要ならば多層構造としたカバー層（３，４）であって、好適には積層木材、合板、木質チップ材料またはウッドプラスチックなどの木材および木質材料のグループ、および付加的に設ける、金属、布および繊維材料、厚紙、ペーパー、プラスチック、繊維補強プラスチック、無機ベースの構造材料、岩石、人造石ならびにこれら材料のうち２個またはそれ以上の材料で形成した複合材料によって構成した該カバー層（３，４）間に、コア層として、前記カバー層（３，４）に接合した少なくとも１層の傾斜繊維コア層（５）を配置し、この傾斜繊維コア層（５）を、均質構造を有する材料であって、この材料の繊維または組織配向が、２個のカバー層（３，４）の延在方向に対して＋２５°〜＋８０°、好適には＋３０°〜＋８０°、特に＋４０°〜＋６０°とした角度(＋α)をなす、および／または−２５°〜−８０°、好適には−３０°〜−８０°、特に−４０°〜−６０°とした角度(−α)をなすものとした該均質構造材料によって形成し、またさらに、
傾斜繊維コア層（５）は、それぞれ同一の正の角度に傾斜したおよび／または同一の負の角度に傾斜した複数個の傾斜キャビティ（６，６′）を有するものとし、これら傾斜キャビティ（６，６′）は、前記傾斜繊維コア層（５）を完全に貫通し、特別な繊維または組織配向方向に傾斜し、好適には互いに同じ大きさを有し、また好適には均等に分布させて構成した
ことを特徴とする建材ボードまたは構造ユニット。
【請求項２】
請求項１記載の好適には、木材または木質材料をベースとして構成した多層構造を有する建材ボードまたは構造ユニット、とくに構造用、壁用、仕切り用、支持用のユニットであって、２個の互いに空間的に離れ、かつ互いに平行に配置したカバー層、およびこれらカバー層間に配置および接合した少なくとも１個のコア層によって構成した建材ボードまたは構造ユニットにおいて、
２個の、それぞれ平面的で、好適にはコンパクトな層状、プレート状またはフォイル状の材料で構成した、必要ならば多層構造としたカバー層（３，４）であって、好適には積層木材、合板、木製チップ材料またはウッドプラスチックなどの木材および木質材料のグループ、および付加的に設ける、金属、布および繊維材料、厚紙、ペーパー、プラスチック、繊維補強プラスチック、無機ベースの構造材料、岩石、人造石ならびにこれら材料のうち２個またはそれ以上の材料で形成した複合材料によって構成した該カバー層（３，４）間に、コア層として、前記カバー層（３，４）に結合した少なくとも１層の傾斜繊維コア層（５）を配置し、この傾斜繊維コア層（５）を、長手方向側面に関して互いに接触および長手方向側面に関して互いに接合した傾斜繊維細条（５０，５０′）によって構成し、各傾斜繊維細条（５０，５０′）を、好適には木材またはウッドプラスチックの材料で形成し、また傾斜繊維細条（５０，５０′）は、正の角度に傾斜したまたは負の角度に傾斜した方向を有する、または傾斜構造もしくは傾斜した繊維組織を形成して、傾斜繊維細条（５０，５０′）ごとに均質構造を有する材料とし、互いに隣接する傾斜繊維細条（５０，５０′）を好適には順次にかつ交互に接合し、同一の角度で正傾斜したまたは同一の角度で負傾斜した１個以上の傾斜繊維細条（５０，５０′）を列状にまたは直列に交互に接合し、・  １個または複数個の傾斜繊維細条（５０）は、ほぼ均質に正の角度で傾斜した傾斜繊維方向、およびこの傾斜繊維細条（５０）に完全に貫通しかつほぼ互いに平行かつ正の角度で傾斜した傾斜繊維に平行で、正の角度で傾斜した複数個の傾斜キャビティ（６）、窪み、切込み、孔等を有し、これら正の角度で傾斜した傾斜繊維および傾斜キャビティ（６）、窪み、切込み、孔等を、カバー層（３，４）の長手方向に対して＋２５°〜＋８０°、好適には＋３０°〜＋８０°、とくに＋４０°〜＋６０°、好適には＋４０°〜＋５０°とした正の鋭角の角度＋αをなすよう延在させ、また
・  １個または複数個の傾斜繊維細条（５０）は、ほぼ均質に負の角度で傾斜した傾斜繊維方向、およびこの傾斜繊維細条（５０）に完全に貫通しかつほぼ互いに平行かつ負の角度で傾斜した傾斜繊維に平行で、負に傾斜した複数個の傾斜キャビティ（６）、窪み、切込み、孔等を有し、これらの負の角度で傾斜した傾斜繊維および傾斜キャビティ（６）、窪み、切込み、孔等を、カバー層（３，４）の長手方向に対して−２５°〜−８０°、好適には−３０°〜−８０°、とくに−４０°〜−６０°、好適には−４０°〜−５０°とした負の鋭角の角度−αをなすよう延在させた
建材ボードまたは構造ユニット。
【請求項３】
請求項１または２記載の建材ボードまたは構造ユニットにおいて、
互いに同一の木材またはウッドプラスチックによって形成した傾斜繊維および傾斜キャビティ−コア層内に配置する前記コア層（５）の傾斜繊維細条（５０，５０′）を、互いに異なる木材および／またはウッドプラスチックによって構成し、これにより、前記コア層を、傾斜繊維を持たないウッドプラスチックによって構成する場合には、が、傾斜キャビティ（６，６′）を、繊維または繊維組織を有する天然の木材によって構成するコア層（５）と繊維方向と同一方向に指向させて設けた建材ボードまたは構造ユニット。
【請求項４】
請求項１または２記載の建材ボードまたは構造ユニット、とくに構造用、壁用、仕切り用、荷重支持用等のためのユニットであって、好適には木質材料をベースとする多層構造を有し、２個の互いに離しかつ平行に配置したカバー層、およびカバー層間に配置および接合した少なくとも１個のコア層によって構成する建材ボードまたは構造ユニットにおいて、
２個のそれぞれ平面的で、好適にはコンパクトな層状、プレート状またはフォイル状の材料で構成した、必要ならば多層構造としたカバー層（３，４）であって、好適には積層木材、合板、木質チップ材料またはウッドプラスチックなどの木材および木質材料のグループ、および付加的に設ける、金属、布および繊維材料、厚紙、ペーパー、プラスチック、繊維補強プラスチック、無機ベースの構造材料、岩石、人造石ならびにこれら材料のうち２個またはそれ以上の材料で形成した複合材料によって構成した該カバー層（３，４）間に、コア層として、前記カバー層（３，４）に接合した少なくとも１層の傾斜繊維コア層（５）を配置し、この傾斜繊維コア層（５）を、プラスチック結合した木材またはウッドプラスチックによって構成し、このプラスチック結合木材またはウッドプラスチックは、正の角度で傾斜したおよび／または負の角度で傾斜した複数個の傾斜キャビティ（６，６′）を有するものとし、前記キャビティ（６）は２個のカバー層（３，４）の長手方向に対して＋２５°〜＋８０°、好適には＋３０°〜＋８０°、とくに＋４０°〜＋６０°とした正の角度（＋α）および／または、−２５°〜−８０°、好適には−３０°〜−８０°、とくに−４０°〜−６０°とした負の角度（−α）をなすものとした
建材ボードまたは構造ユニット。
【請求項５】
請求項１〜４のいずれか一項に記載の建材ボードまたは構造ユニットにおいて、
前記コア層（５）を、２個の、互いに平面的に接触させ、かつ互いに結合した傾斜繊維部分層（Ｔ１，Ｔ２）によって形成し、それぞれ、正の角度で傾斜したおよび負の角度で傾斜した傾斜繊維細条（５０，５０′）を１個以上の傾斜繊維細条（５０，５０′）の列となるよう順次かつ交互に配列することによって形成した傾斜繊維コア層（５）を、請求項１または２のいずれか一項に記載の傾斜繊維コア層により形成し、ただし部分層（Ｔ１，Ｔ２）のうち一方またはこの一方の部分層（Ｔ１，Ｔ２）を構成する傾斜繊維細条（５０，５０′）の延在方向を、それぞれ他方の部分層（Ｔ２、Ｔ１）またはこの他方の部分層（Ｔ２、Ｔ１）を構成する傾斜繊維細条（５０，５０′）の延在方向に対して３０°〜１２０°、必要ならば４０°〜６０°、好適にはほぼ９０°とした角度(β)をなすよう配置するか、または、前記コア層（５）の２個の部分層（Ｔ１，Ｔ２）の正および負の角度で傾斜する傾斜繊維細条を互いに平行に構成した
建材ボードまたは構造ユニット。
【請求項６】
請求項１〜５のいずれか一項に記載の建材ボードまたは構造ユニットにおいて、
前記コア層（５）を、前記カバー層（３，４）間で、平面的に互いに接触させ、かつ互いに結合した３個の傾斜繊維部分層（Ｔ１，Ｔ２，Ｔ３）によって形成し、これら傾斜繊維部分層（Ｔ１，Ｔ２，Ｔ３）の構造を、それぞれ、請求項１または２に記載の傾斜繊維コア層（５）に従って構成し、
・  第１部分層（Ｔ１）および第３部分層（Ｔ３）は、互いに平行に傾斜した傾斜繊維細条（５０，５０′）を有し、これら部分層（Ｔ１，Ｔ３）の間に配置する第２部分層（Ｔ２）は、他の２個の部分層（Ｔ１，Ｔ３）に対し３０°〜１２０°、特に３０°〜６０°の範囲、好適にはほぼ９０°の角度をなすよう配置する、または
・  前記第２部分層（Ｔ２）を前記第１部分層（Ｔ１）に対してほぼ１２０°回転させ、前記第３部分層（Ｔ３）を前記第２部分層（Ｔ２）に対してさらにほぼ１２０°回転させた状態に配置した
建材ボードまたは構造ユニット。
【請求項７】
請求項１〜６のいずれか一項に記載の建材ボードまたは構造ユニットにおいて、
前記部分層（Ｔ１，Ｔ２）または部分層（Ｔ１，Ｔ２，Ｔ３）間に、それぞれ、好適には木材または木質材料によって構成した薄い中間層を配置し、前記部分層（Ｔ１，Ｔ２）または部分層（Ｔ１，Ｔ２，Ｔ３）に接合した建材ボードまたは構造ユニット。
【請求項８】
請求項１〜７のいずれか一項に記載の建材ボードまたは構造ユニットにおいて、・  前記傾斜繊維コア層（５）において、１個の正の角度で傾斜する傾斜繊維細条（５０）および１個の負の角度で傾斜する傾斜繊維細条（５０′）を、それぞれ順次交互に、側方に接触させ、かつ結合して配列するか、または
・  前記傾斜繊維コア層（５）において、複数個の正の角度で傾斜する傾斜繊維細条（５０）および、これと同数の負の角度で傾斜する傾斜繊維細条（５０′）を、それぞれ順次交互に、隣接させて配列し、これらのそれぞれ複数個の傾斜繊維細条(５０，５０′)自体をまた側方の複数個の傾斜繊維細条に対して互いに接合し、多重細条を構成するようにした
建材ボードまたは構造ユニット。
【請求項９】
請求項１〜８のいずれか一項に記載の建材ボードまたは構造ユニットにおいて、
前記傾斜繊維コア層（５）を、好適には偶数個の、とくに２個の傾斜繊維部分層（Ｔ１，Ｔ２，…）によって構成し、この傾斜繊維部分層（Ｔ１，Ｔ２，…）における正および／または負の角度で傾斜した傾斜繊維細条（５０，５０′）を、それぞれの長手方向側面において互いに接触させ、かつ互いに接合することによって構成し、
・  前記第１部分層（Ｔ１）のすべての正の角度で傾斜する傾斜繊維細条（５０）が、同一の均質な正の角度で傾斜した傾斜繊維方向を有し、かつ複数個の、正の角度で傾斜する傾斜繊維にほぼ平行で、正の角度で傾斜した傾斜繊維細条（５０）に完全に貫通する正の角度で傾斜する傾斜キャビティ（６）、窪み、切込み、孔等を有し、
・  前記正の角度で傾斜した傾斜繊維、および傾斜キャビティ（６）、窪み、切込み、孔等を、前記カバー層（３，４）の長手方向に対して＋２５°〜＋８０°、好適には＋３０°〜＋８０°、とくに＋４０°〜＋６０°、好適には＋４０°〜＋５０°とした正の鋭角角度＋αをなすよう延在させ、かつ
・  前記第２部分層（Ｔ２）のすべての負角度で傾斜した傾斜繊維細条（５０′）が同一の均質な負の角度で傾斜した傾斜繊維方向を有し、かつ、複数個の、負の角度で傾斜した傾斜繊維にほぼ平行で、負の角度で傾斜した傾斜繊維細条（５０′）を完全に貫通する負の角度で傾斜した傾斜キャビティ（６）、窪み、切込み、孔等を有し、
・  前記負の角度で傾斜した傾斜繊維、および傾斜キャビティ（６）、窪み、切込み、孔等を、前記カバー層（３，４）の長手方向に対して−２５°〜−８０°、好適には−３０°〜−８０°、とくに−４０°〜−６０°、好適には−４０°〜−５０°とした負の鋭角角度−αをなすよう延在させた
建材ボードまたは構造ユニット。
【請求項１０】
請求項１〜９のいずれか一項に記載の建材ボードまたは構造ユニットにおいて、
前記傾斜繊維コア層（５）、またはその部分層（Ｔ１，Ｔ２，Ｔ３，…）、またはその傾斜繊維細条（５０，５０′）における傾斜キャビティ（６，６′）は、互いにほぼ同じ表面積および／または幾何学的形状を呈するキャビティ横断面を有し、および／または傾斜繊維細条（５０，５０′）の長手方向に関して互いにほぼ等しく離間させた建材ボードまたは構造ユニット。
【請求項１１】
請求項１〜１０のいずれか一項に記載の建材ボードまたは構造ユニットにおいて、
前記傾斜繊維コア層（５）またはその部分層（Ｔ１，Ｔ２，Ｔ３…）における傾斜キャビティ（６，６′）の総横断面と、前記傾斜繊維コア層（５）を構成する、好適には木材とし必要ならばウッドプラスチックとした傾斜繊維材料の総横断面（Ｑｍ）に対する比を、５：１〜１：５、好適には２：１〜１：２とした
建材ボードまたは構造ユニット。
【請求項１２】
請求項１〜１１のいずれか一項に記載の建材ボードまたは構造ユニットにおいて、
前記傾斜繊維コア層（５）またはその部分層（Ｔ１，Ｔ２，Ｔ３，…）における、正の角度で傾斜するおよび負の角度で傾斜を有する前記傾斜繊維細条（５０，５０′）の、正の角度で傾斜するおよび負の角度で傾斜を有する傾斜キャビティ（６，６′）の内壁および底面を、例えば含水ケイ酸塩などをベースとした、防火または延焼回避する膨張可能な高分子物質によってコーティングし、この高分子物質が火災時に熱作用によって膨張することで前記傾斜キャビティ（６，６′）を密封する構成とした
建材ボードまたは構造ユニット。
【請求項１３】
請求項１〜１２のいずれか一項に記載の建材ボードまたは構造ユニットにおいて、
前記傾斜繊維コア層（５）またはその部分層（Ｔ１，Ｔ２，Ｔ３）における正の角度で傾斜するおよび負の角度で傾斜を有する傾斜キャビティ（６，６′）を、特にポリウレタン、ポリアクリルまたは同様のものをベースとする合成樹脂の軽量発泡体によって充填した
建材ボードまたは構造ユニット。
【請求項１４】
請求項１〜１３のいずれか一項に記載の建材ボードまたは構造ユニットにおいて、
前記傾斜繊維コア層（５）および、この傾斜繊維コア層（５）を構成する、等しく傾斜した正の傾斜および負の傾斜を有するキャビティ（６，６′）を設けた傾斜繊維細条（５０，５０′）を、複数個の、好適には木材、必要ならばウッドプラスチックによって構成した傾斜繊維体により構成し、この傾斜繊維体が互いに、および／または縦方向に互いに列をなし、少なくとも２個の、前方および後方の小さい側面において互いに接触させ、かつ材料接合によって接合する建材ボードまたは構造ユニット。
【請求項１５】
請求項１〜１４のいずれか一項に記載の建材ボードまたは構造ユニットにおいて、
前記傾斜繊維コア層（５）またはこの傾斜繊維コア層（５）を構成する部分層（Ｔ１，Ｔ２，Ｔ３）を、正の角度に傾斜したおよび／または負の角度に傾斜した傾斜繊維細条（５０，５０′）によって構成し、この傾斜繊維細条（５０，５０′）を側方表面（５５）によって互いに接触させて配置しかつ結合し、各傾斜繊維細条（５０，５０′）は、前記カバー層（３，４）にほぼ直交させて配列したベースおよびくし梁（５３）と、このベースおよびくし梁（５３）に対して好適には垂直に突出させるが、細条（５０，５０′）およびカバー層（３，４）の長手方向に対しては正または負の角度で傾斜させた歯状突出部または歯状リブ（５２）と、を有するほぼくし状の横断面形状を有し、これら歯状突出部（５２）間の歯間空間（５４）によって、それぞれ正または負の角度で傾斜した傾斜繊維に平行な、傾斜繊維コア層（５）の傾斜キャビティ（６，６′）を生ずる構成とした
建材ボードまたは構造ユニット。
【請求項１６】
請求項１５記載の建材ボードまたは構造ユニットにおいて、
前記歯間空間（５４）または傾斜繊維細条（５０，５０′）の傾斜キャビティ（６，６′）を互いに平行な溝、切込み、チャネルとして構成し、これらを好適には切削によって、また、繊維を配合したウッドプラスチックを使用する場合は押出し成型によって形成し、好適には互いにほぼ同じ深度、大きさまたは幅または横断表面積および／または横断面形状を有する構成とした
建築材ボードまたは構造ユニット。
【請求項１７】
請求項１５または１６記載の建材ボードまたは構造ユニットにおいて、
傾斜繊維細条体（５１）の歯間空間（５４）または傾斜繊維細条（５０，５０′）の傾斜キャビティ（６，６′）は、ほぼ細長い平行四辺形形状および長方形の断面形状を有し、必要ならば底面を丸め、長方形の長さと幅の比を、（１０：１）〜（１：１）、好適には（５：１）〜（１：１）、必要ならば（５：２）〜（４：３）とした
建材ボードまたは構造ユニット。
【請求項１８】
請求項１５〜１７のいずれか一項に記載の建材ボードまたは構造ユニットにおいて、
傾斜繊維細条（５０，５０′）の横断面形状をほぼくし状とした場合、歯間空間（５４）の幅（ｂｒ）を、歯状突出部または歯状リブ（５２）、および／またはくし梁（５３）の幅（ｂｚ，ｂｂ）の１／２から２倍の寸法とするが、好適には、前記幅(ｂｒ，ｂｂ，ｂｚ)寸法を互いにほぼ等しくした
建材ボードまたは構造ユニット。
【請求項１９】
請求項１〜１８のいずれか一項に記載の建材ボードまたは構造ユニットにおいて、
・  正の角度に傾斜するおよび負の角度に傾斜する前記傾斜キャビティ（６，６′）を設けた前記傾斜繊維コア層（５）を、直線に沿って正の角度に傾斜したおよび負の角度に傾斜した傾斜繊維細条（５０，５０′）を列状に順次互いに直接隣接配置し、この列の幅を一様にし、
・  これら傾斜繊維細条（５０，５０′）を直接長手方向に関して接触させ、かつ結合して配列し、
・  この場合２個のカバー層（３，４）を、明確な繊維方向を持たない、必要ならば薄くコンパクトな木製チップ板またはパーティクルボードまたはウッドプラスチック板によって構成し、または
・  互いに隣接させた、このような互いに隣接する正の角度に傾斜するおよび負の角度に傾斜する傾斜繊維細条(５０，５０′)であって、それぞれの長手方向の垂直側面を互いに向かい合わせにして隣接させた該傾斜繊維細条(５０，５０′)間に、木材、プラスチック等によって構成した補強細条（７）を、前記傾斜繊維細条（５０，５０′）に対して互いに平行にして接合させた
・  好適には、前記２個のカバー層（３，４）を木材により形成し、この木材のきめまたは繊維が互いに平行でありかつ前記補強細条（７）の長手方向およびこの補強細条（７）の長手方向に延在する繊維組織の方向に直交するものとした
建築用板材または建造素子。
【請求項２０】
請求項１〜１９のいずれか一項に記載の建材ボードまたは構造ユニットにおいて、
前記補強または強化細条（７）は細長い横断面を有し、環境条件が変化した際にこの補強または強化細条（７）がカバー層（３，４）の長手方向に直交する方向に関して傾斜繊維細条（５０，５０′）またはこの傾斜繊維細条（５０，５０′）によって構成する傾斜繊維コア層（５）とほぼ同じ物理的特性の挙動変化を有し、前記傾斜繊維細条（５０，５０′）の上面および下面、 (狭い)側面、または上面および下面を前記カバー層（３，４）に材料結合によって接合した
建材ボードまたは構造ユニット。
【請求項２１】
請求項１〜２０のいずれか一項に記載の建材ボードまたは構造ユニットにおいて、
補強または強化細条（７）は細長い長方形の横断面を有し、環境条件が変化した際にこの補強または強化細条（７）がカバー層（３，４）の長手方向またはその繊維配向に直交する方向に関して、傾斜繊維細条（５０，５０′）またはこの傾斜繊維細条（５０，５０′）によって構成する傾斜繊維コア層（５）とは異なる物理的特性の変化挙動を有し、前記傾斜繊維細条（５０，５０′）の両側の長手方向側面を傾斜繊維細条に接触させて結合し、一方で両方の(狭い)側面または、上面および下面をカバー層（３，４）に内側から接触しないように構成し、またカバー層（３，４）に結合せず、これらの狭い側面を、環境条件が変化する際に生ずる、前記補強または強化細条（７）の繊維配列膨張等を横断する膨張程度に応じて、カバー層（３，４）から離れるよう構成した
建材ボードまたは構造ユニット。
【請求項２２】
請求項１〜２１のいずれか一項に記載の建材ボードまたは構造ユニットにおいて、
カバー層（３，４）の双方を、これらカバー層を構成する材料、特に木材の繊維または組織配向が互いにほぼ同じ、または平行な方向を指向する好適な場合に、傾斜繊維コア層（５）における補強または強化細条（７）およびこれを構成する材料、とくに木材の繊維または組織配向の長手方向が、２個のカバー層（３，４）の繊維または組織配向にほぼ直交して延在するように補強細条（７）を構成した
建材ボードまたは構造ユニット。
【請求項２３】
請求項１〜２２のいずれか一項に記載の建材ボードまたは構造ユニットにおいて、
傾斜繊維コア層（５）、またはこの傾斜繊維コア層（５）を構成するもの、または傾斜繊維細条（５０，５０′）を、特にオーク、トウヒ、マツ、ポプラ、柳などの通常の木材、またはこれらより低い品質の木材、または例えばバルサ、オクメ、バーチまたはワワなどの密度が０．１〜０．８ｇ／ｃｍ３ である軽量木材によって構成した
建材ボードまたは構造ユニット。
【請求項２４】
請求項１〜２３のいずれか一項に記載の建材ボードまたは構造ユニットにおいて、
・  前記カバー層（３，４）を互いに同一の材料によって、好適には互いに同一の木材によって、および／または互いに同一の厚さにして形成し、または
・  前記カバー層（３，４）を互いに異なる材料によって、とくに互いに異なるタイプの木材によって、および／または互いに異なる厚さにして形成し、ただし、同一の物理特性を有し、また例えば温度、湿度等の環境条件が変化するとき、必要ならば方向に応じた特性が変化する挙動を示すものとした
建材ボードまたは構造ユニット。
【請求項２５】
請求項１〜２４のいずれか一項に記載の建材ボードまたは構造ユニットにおいて、
少なくとも２個の互いに対向する狭い側方側面に、また好適にはすべての狭い側方側面に、好適には木材によって構成したカバー細条（２）を結合することで閉鎖した
建材ボードまたは構造ユニット。
【請求項２６】
請求項１〜２４のいずれか一項に記載の建材ボードまたは構造ユニットにおいて、
凹状に湾曲させた好適には下側カバー層（３）と、同じ程度だけ凸状に湾曲させた好適には上側カバー層（４）との間に傾斜繊維コア層（５）を配置し、この傾斜繊維コア層（５）におけるそれぞれ交互の、個別の正および負の角度に傾斜した傾斜繊維細条（５０，５０′）または、２重傾斜繊維細条（５０，５０′）を、下方の長手方向端縁で互いに接触させ、上方に向かってカバー層（３，４）の湾曲に適合するように指向させた
建材ボードまたは構造ユニット。
【請求項２７】
請求項１〜２６のいずれか一項に記載の建材ボードまたは構造ユニットにおいて、
・  吸音または音響ボードとして、好適には木材によって構成し、音源の方向に対してカバー層をほぼまたは全く設けず、または音源側のカバー層（４）にこのカバー層（４）を貫通する、好適には特別な仕様に応じた配列および形状にした通音開口（４１）を設け、傾斜繊維コア層（５）およびその傾斜キャビティ（６，６′）に、これら開口（４１）を通過して直接的に音が到達できるようにし、この場合、安全上の理由により傾斜キャビティの内壁を火災時に熱作用によって膨張可能な防火高分子物質によってコーティングすると好適であるものとし、または
・  建材ボード（１）を、とくにスピーカーボックス、楽器等の音発生または音伝播装置における、例えば底面およびカバー面のための振動および共鳴板として構成し、必要ならばカバー面（３，４）のうち一方に、このカバー層（３，４）を貫通する音伝播開口を設け、傾斜繊維コア層（５）およびその傾斜キャビティ（６，６′）が、これら開口によって音伝播を行えるようにした
建材ボードまたは構造ユニット。
【請求項２８】
請求項１〜１３のいずれか一項に記載の建材ボードまたは構造ユニットにおいて、
・  例えば木材または木質材料製の２個のカバー層（３，４）を有する安全建材ボード、特にドアリーフとして構成し、好適には傾斜繊維コア層（５）を有するものとし、この傾斜繊維コア層（５）の木材に傾斜した傾斜キャビティ（６，６´）を設け、必要ならばこれら傾斜キャビティ（６，６´）に膨張可能な防火材料をコーティングするか、軽量発泡物質を充填し、前記カバー層（３，４）から間隔をとって互いに平行となるよう配置した補強または強化細条（７）を設け、この補強または強化細条（７）を金属、とくにスチールまたはアルミニウムによって構成した、および／または
・  木材によって構成したカバー層（３，４）のうち少なくとも一方の外側に、金属板、金属フォイル等を接着接合する、または木材によって構成したカバー層の代わりに、金属板、金属フォイル等を直接傾斜繊維コア層（５）に接合し、好適には、火災時に熱作用によって膨張する接着剤によって金属板、金属フォイル等を、それぞれのカバー層（３，４）または傾斜繊維コア層（５）に、接合した
建材ボードまたは構造ユニット。
【請求項２９】
建材ボードまたは構造ユニットであって、特に壁用、間仕切り用、または天井用のユニット、もしくは構体、空間等の新設、増設および改設するための、断熱的、音響的および足音減衰効果を有する該建材ボードまたは構造ユニットにおいて、
・  請求項１〜２５のいずれか一項に記載の、基本構造を互いにほぼ適合させた少なくとも２個の建材ボード（１，１′）によって形成し、これらの建材ボード（１，１′）を好適には木材で構成したスペーサ体（９１）により互いに離間させ、かつ互いに平行に配置および結合し、好適には建材ボード（１，１′）の２個のカバー層（３，４）を木材、積層木材、合板、木材チップ材料、ウッドプラスチック等によって構成し、またこの建材ボードの傾斜繊維コア層（５）も、同様に木材または、必要に応じてウッドプラスチックによって構成し、または
・  請求項１〜２５のいずれか一項に記載の、基本構造を互いにほぼ適合させた少なくとも２個の建材ボード（１，１′）によって形成し、これらの建材ボード（１，１′）の各主側面において、好適には平面的な接着によって互いに接合し、好適には建材ボード（１，１′）の２個のカバー層（３，４）を木材、積層木材、合板、木材チップ材料、ウッドプラスチック等によって、およびこの建材ボードの傾斜繊維コア層（５）も木材または、必要に応じてウッドプラスチックによって構成した
建材ボードまたは構造ユニット。
【請求項３０】
請求項１〜２９のいずれか一項に記載の建材ボードまたは構造ユニットにおいて、
請求項１〜２５のいずれか一項に記載の、好適には荷重支持力を有する１個の建材ボード（１）によって、または複数個の互いに平面的に接合したこの種の建材ボード（１）によって構成し、高い防火性を得るため、この建材ボード（１）の少なくとも一方の側面に、延焼回避するよう、２個のカバー層（３，４）と、これらカバー層（３，４）の間に配置た、好適には例えばオークなどの耐炎性および難燃性の木材によって構成した傾斜キャビティ（６）を有する傾斜繊維コア層（５）と、を設け、この傾斜繊維コア層（５）は小さい寸法または厚さを有し、とくに厚さを２〜５ｃｍとし、傾斜繊維コア層（５）の傾斜キャビティ（６，６′）の内壁および、場合によっては底面を、火災時に熱作用によって膨張可能な防火高分子物質によってコーティングした
建材ボードまたは構造ユニット。
【請求項３１】
請求項３０記載の、建材ボードまたは構造ユニット、特に壁用、間仕切り用、天井用等のユニットまたはボードにおいて、
請求項１〜２５のいずれか一項に記載の３個の建築材ボード（１，１′，１″）によって構成し、これら建築用板材（１，１′，１″）をスペーサ体（９１）によって互いにほぼ離間させて保持し、このスペーサ（９１）を当該の請求項に従って構成し、また少なくとも基本的にこの請求項に記載したように配置した
建材ボードまたは構造ユニット。
【請求項３２】
請求項３１記載の、建材ボードまたは構造ユニット、とくに壁用、間仕切り用、天井用のユニットまたはボードにおいて、
建材ボード（１，１′）間の空所または中間空間（９０）にスペーサ体（９１）を形成し、各スペーサ体を、１個または複数個の傾斜繊維細条（５０，５０′）、好適には木材製で互いに結合した傾斜繊維細条（５０，５０′）によって構成し、この傾斜繊維細条（５０，５０′）が傾斜キャビティ（６，６′）および傾斜した繊維または組織配向を有するものとし、かつ、この傾斜繊維細条の組織配向が建材ボード（１，１′）の長手方向に対して正または負の鋭角角度をなして延在するよう構成した
建材ボードまたは構造ユニット。
【請求項３３】
建材ボードまたは構造ユニットであって、とくに壁用、間仕切り用、天井用のユニットまたはボードとして構成し、構体、空間等を新設、増設および改設するための、断熱、音響および足音吸収作用を有する建材ボードまたは構造ユニットにおいて、
請求項１〜２６のいずれか一項に記載の、少なくとも基本構造を互いにほぼ適合させた少なくとも２個の建材ボード（１，１′）によって構成し、これらの建材ボード（１，１′）を、好適には木材によって構成したスペーサ体（９１）により、互いに離間させ、かつ互いに平行に配置かつ接合し、好適には建材ボード（１，１′）の２個のカバー層（３，４）を木材、積層木材、合板、木材チップ材料、ウッドプラスチック等によって形成し、またこのスペーサ体の傾斜繊維コア層（５）も木材または、必要に応じてウッドプラスチックによって構成し、これにより、スペーサ体（９１）を、開放した有孔構造または自由キャビティを有する構造体、とくに無機またはプラスチックをベースとする発泡体または有孔体または、好適にはカバー層（３，４）の長手方向に直交するパイプ体によって構成し、また建材ボード（１，１′）間の中間空間（９０）に必要に応じてスチール製補強材（９２）を設け、この中間空間（９０）に軽量耐火材、軽量建築用材料、軽量発泡材料および／または、無機ベースの硬化用または硬化済みバインダ、コンクリート状のもの、とくに軽量または多孔性コンクリート等で充填した
建材ボードまたは構造ユニット。
【請求項３４】
請求項３０記載の、建材ボードまたは構造ユニット、特に壁用、間仕切り用、天井用のユニットまたはボードにおいて、
建材ボード（１，１′）間の中間空間（９０）に対面するカバー層（３，４）の表面、および／またはカバー層（３，４）の外側表面に、接着促進層（１９）、砂被膜、フォイル、網状体等、または請求項１〜２５に記載の薄く、とくに厚さが最大で１ｃｍとした傾斜繊維コア層（５）を設け、ただし、前記中間空間（９０）に挿入した建材ボード（１，１′）には、接着剤または密着結合するためのバインダ、コンクリート、軽量コンクリート等を設けないものとした
建材ボードまたは構造ユニット。
【請求項３５】
請求項２７〜３４のいずれか一項に記載の、建材ボードまたは構造ユニット、とくに壁用、間仕切り用、天井用のユニットまたはボードにおいて、
請求項１〜２５のいずれか一項に記載の建材ボード（１，１′）の外側カバー層（３，４）少なくとも一方に、しっくいの下地層、フォイル、網体（１８１）、または少なくとも耐湿性の、好適には水蒸気を拡散させるもの、とくに、エポキシ接着剤などのプラスチックをベースとするもの、例えば接着を促進する砂被膜を有するもの、または、薄く、とくに厚さが最大１ｃｍとした請求項１〜２５のいずれか一項に記載の、ただしカバー層を有さない傾斜繊維コア層（５）を設けるものとした
建材ボードまたは構造ユニット。
【請求項３６】
請求項２７〜３４のいずれか一項に記載の、建材ボードまたは構造ユニット、とくに壁用、間仕切り用、天井用のユニットまたはボードにおいて、
直接建設または設置現場において壁、間仕切りまたは天井を現地製造するため、請求項１〜２６のいずれか一項に記載の２個の建材ボード（１，１′）を、スペーサ体（９１）を介在させて互いに連結した、「無型枠」の型枠ボードとして位置決めし、またこれら建材ボード間の中間空間（９０）にスチール製補強材（９２）挿入して互いに間隔をとって配置し、前記中間空間（９０）に、硬化したバインダ、好適にはコンクリート、軽量コンクリート（９５）等を充填し、また前記２個の建築用板材（１，１′）のうち少なくとも一方における外側に、しっくい層またはしっくい下地層（１８）を設け、好適には、建材ボード（１，１′）のためのしっくい下地層は、として薄く、好適には厚さが最大１ｃｍとした請求項１〜２５のいずれか一項に記載の、ただしカバー層を有さない傾斜繊維層を設けた
建材ボードまたは構造ユニット。
【請求項３７】
建材ボードまたは構造ユニット、とくに壁用、間仕切り用、天井用のユニットまたはボードにおいて、
請求項１〜２５のいずれか一項に記載の建材ボード（１）によって形成し、この建材ボード（１）の少なくとも１個のカバー層の外側、好適には２個のカバー層（３，４）の双方における外側に、(内部)耐久層（１９０）を設け、この耐久層（１９０）を、好適には少なくとも１個の、必要に応じて耐火および／または耐湿および撥水性を備えた軽量建材ボード、とくにサンドイッチタイプの石膏ボードまたは耐水または耐火性の無機プレートを接合した
建材ボードまたは構造ユニット。
【請求項３８】
建材ボードまたは構造ユニット、とくに壁用、間仕切り用、天井用のユニットまたはボードにおいて、
請求項１〜２５のいずれか一項に記載の建材ボード（１）によって構成し、この建材ボード（１）の(内部)耐久層（１９０）の外側に、請求項３４〜３６に記載するようにしっくい下地（１８１）を設ける、またはこのしっくい下地を包囲する既成しっくい層（１８）を設けた
建材ボードまたは構造ユニット。
【請求項３９】
請求項１〜３５のいずれか一項に記載の建材ボードまたは構造ユニットを製造する方法において、
・  第１作業ステップにおいて、互いにかつ木材組織配向の方向に平行に延在する複数個の長手方向溝（６０）を、厚板（５８）または木材によって構成する細条の長手延在方向に、すなわち木材繊維方向または木材組織配向方向に、好適には互いに等間隔で切削加工するとともに、残ったリブが好適には同一形状かつ互いに平行となるよう形成し、
・  第２作業ステップにおいて、第１層（ＬＩ）を構成する際に、長手方向溝（６０）を設けた厚板（５８）を、中心線（ｍｌ）または加工の前進方向（ＶＲ）に関して、側方に順次に中心線（ｍｌ）に対して正の鋭角角度(＋β)をなすように配列し、
・  このように構成した、好適には下方または上方に開口させた溝（６０）を有する第１層（ＬＩ）の上に第２層（ＬII）を当接させ、この第２層(ＬII)は、同様に側方に順次に配列し、かつ同様に上方または下方に開口させた長手方向溝（６０）を有する同様の厚板（５８）によって構成し、前記溝（６０）が中心線（ｍｌ）に対して好適には同じ大きさの、ただし負の鋭角角度（−β）をなすものとし、互いに交差配列した溝付き厚板（５８）の２個の層(ＬＩ，ＬII)を接合し、
・  第２ステップにおいて、前記の互いに交差させて配列した溝付き厚板（５８）の複合体を、加工前進方向（ＶＲ）に連続的に(ホット)プレス（ＨＰ）等によって送り、接合することによって傾斜繊維ボードを形成し、
・  第３ステップにおいて、製造すべき建材ボードの所要の厚さにそれぞれ適合する間隔で、中心線（ｍｌ）または加工前進方向（ＶＲ）に直交する切断ライン（Ｓ）によって、（二重または多重）傾斜繊維細条（５０，５０′）を形成し、
・  第４ステップにおいて、各（二重）傾斜繊維細条（５０，５０′）を自身の長手軸線を中心として、前方または後方に＋９０°または−９０°転回し、
・  第５ステップにおいて、前記のように転回した(二重)傾斜繊維細条（５０，５０′）を、接着剤を塗布し側面において互いに接触させて接合することにより、木材または木質材料等で構成する下側カバー層（３）上に傾斜繊維コア層（５）を形成し、
・  第６ステップにおいて、木材または木質材料等で構成する上側カバー層（４）を、互いにかつ下側カバー層（３）に結合した(二重)傾斜繊維細条（５０，５０′）または、この(二重)傾斜繊維細条（５０，５０′）によって構成した傾斜繊維コア層（５）上に当接し、好適には同時に、傾斜繊維コア層（５）を材料結合によって２個のカバー層（３，４）に接合する
ことを特徴とする方法。
【請求項４０】
請求項１〜２５のいずれか一項に記載の建材ボードまたは構造ユニットを製造する方法において、
・  第１作業ステップにおいて、互いにかつ木材組織配向の方向に平行に延在する複数個の長手方向溝（６０）を、厚板（５８）または木材によって構成する細条の長手延在方向に、すなわち木材繊維方向または木材組織配向方向に、好適には互いに等間隔で切削加工するとともに、残ったリブが好適には同一形状かつ互いに平行となるよう形成し、
・  第２作業ステップにおいて、第１層（ＬＩ）を構成する際に、長手方向溝（６０）を設けた厚板（５８）を、中心線（ｍｌ）または加工の前進方向（ＶＲ）に関して、側方に順次に中心線（ｍｌ）に対して正の鋭角角度(＋β)をなすように配列し、
・  第１中間ステップにおいて、第１層（ＬＩ）の、互いに接触させた溝付き厚板（５８）上に、木材によって構成する中間層（Ｚｌ）を当接し、この木材が好適には中心線（ｍｌ）または加工前進方向（ＶＲ）に対して直交する組織配向を有するものとし、好適には中間層（Ｚｌ）を第１層（ＬＩ）の厚板（５８）に設けた溝（６０）間のリブに接合し、
・  長手方向溝（６０）を有して同様に側方に配列した同様の厚板（５８）によって構成した第２層(ＬII)を、上記のように形成した前記第１層（ＬＩ）または前記中間層（Ｚｌ）上に当接し、好適には前記第２層(ＬII)の溝（６０）を下方にまたは前記中間層（Ｚｌ）の方向に開口させ、前記溝（６０）が中心線（ｍｌ）に対して好適には同じ大きさの、ただし負の鋭角角度（−β）をなすものとし、前記第１層(ＬＩ)、中間層（Ｚｌ）および第２層（ＬII)を互いに平面的に接合し、
・  第２ステップにおいて、前記溝付き厚板（５８）によって構成する第１および第２層（ＬＩ，ＬII）およびこれら層間に配置した中間層（Ｚｌ）の複合体を、加工前進方向（ＶＲ）に連続的に(ホット)プレス（ＨＰ）等によって送り、接合することによって傾斜繊維ボードを形成し、
・  第３ステップにおいて、製造すべき建材ボードの所要厚さにそれぞれ適合する間隔で、中心線（ｍｌ）または加工前進方向（ＶＲ）に直交する分離切断ライン（Ｓ）によって、（二重または多重）傾斜繊維細条（５０，５０′）を形成し、
・  第４ステップにおいて、各々の（二重）傾斜繊維細条（５０，５０′）を自身の長手軸線を中心として、前方または後方に＋９０°または−９０°転回し、
・  第５ステップにおいて、前記のように転回し、各々の間に補強細条（７）を設けた(二重)傾斜繊維細条（５０，５０′）を、接着剤を塗布し側面において互いに接触させて接合することにより、木材または木質材料等で構成する下側カバー層（３）上に全体として傾斜繊維コア層（５）を形成し、
・  第６ステップにおいて、木材または木質材料等で構成する上側カバー層（４）を、補強細条（７）を有し互いに結合した(二重)傾斜繊維細条（５０，５０′）または、この(二重)傾斜繊維細条（５０，５０′）によって構成した傾斜繊維コア層（５）上に当接し、好適には同時に、傾斜繊維コア層（５）を材料結合によって２個のカバー層（３，４）に接合する
ことを特徴とする方法。
【請求項４１】
請求項３９または４０記載の方法において、
第１層（ＬＩ）および第２層(ＬII)のコア層（５）を形成する原理により、同様に構成した少なくとも１個の付加的な層(ＬＩ)および(ＬII)を最初の２層(ＬＩ,ＬII)上に当接し、建材ボードの傾斜繊維コア層（５）を、分離切断ライン（Ｓ）によって形成する４重、６重細条により構成する方法。
【請求項４２】
請求項３９または４０記載の方法において、
好適には連続的に供給し、互いに交差した溝を有する厚板（５８）または、この厚板（５８）の繊維および長手方向溝（６０）の傾斜方向の角度(＋βおよび−β)を、中心線（ｍｌ）または加工送り方向（ＶＰ）に対して、それぞれプラスまたはマイナス[９０°−（２５°〜８０°、好ましくは３０°〜８０°、好適には４０°〜６０°特に４０°〜５０°）]とする方法。
【請求項４３】
請求項３９〜４２のいずれか一項に記載の建材ボードまたは構造ユニットを製造する方法において、
・  好適には長手方向溝（６０）を厚板（５８）、細条等に切削する工程、または厚板（５８）、細条等を押し出し成形する工程において、コア層（５）の傾斜キャビティ（６，６′）の溝壁および溝底面を湿潤させつつ、溝(６０)を難燃剤、好適には膨張可能な、特に水素化ケイ素をベースとする高分子を作用または噴霧する、および／または
・  溝（６０）内に、加熱によって軽量発泡体を生ずる発泡プラスチックの主成分を挿入する
方法。
【請求項４４】
請求項１〜２５のいずれか一項に記載の建材ボードまたは構造ユニットの使用方法において、軽量かつ分離可能であり、必要に応じて荷重支持ユニットとして直接的に使用する、とくに、構体、容器、居住用コンテナ、特に既成コンポーネント構体を新設、改設および増設するための、必要に応じて移動可能とする壁、間仕切り、(中間)カバー、(中間)フロア等のために直接的に使用する、、または、必要に応じて「無型枠」として使用する仕切りボード、とくに構体および建造物のための断熱および吸音および分離プレートとして使用する使用方法。
【請求項４５】
請求項１〜２５のいずれか一項に記載の建材ボードまたは構造ユニットの利用方法において、建設業界で高強度軽量プレートとして用いる方法。
【請求項４６】
請求項１〜２５のいずれか一項に記載の建材ボードまたは構造ユニットの利用方法において、構体、構造用コンポーネントおよび収容空間、屋根裏部屋、地下室等の構造物に断熱および防音用の内張りおよびパネル材を装備するために用いる使用方法。
【請求項４７】
請求項１〜２５のいずれか一項に記載の建材ボードまたは構造ユニットの使用方法において、この建材ボードまたは構造ユニットを少なくとも１個の傾斜繊維コア層（５）によって構成し、傾斜キャビティ（６，６′）を火災時に熱作用によって膨張可能な、防火物質または火を封じ込める物質によってコーティングする、および／または少なくとも１個の側面に耐火無機ボードまたは耐火コーティングを結合して設ける、またはカバー層のうち少なくとも１個を、直接的にこの種の耐火無機ボード等によって構成し、この建材ボードまたは構造ユニットを、構造物、構造用部材および収容空間、屋根裏部屋、地下室等に、防火、ならびに断熱および防音パネルを装備するために用いる使用方法。
【請求項４８】
請求項１〜２５のいずれか一項に記載の建材ボードまたは構造ユニットの使用方法において、建造物および収容空間の内装用、特に開き戸および引き戸、安全扉等に用いる方法。
【請求項４９】
請求項１〜２６のいずれか一項に記載の建材ボードまたは構造ユニットの使用方法において、家屋、コンテナ、船舶、ボート、移動住宅、リクリエーショナルビークルおよびキャンピングカー用に、直接的にまたはとくに「サンドイッチプレート」として自動車、飛行機、船舶、ボート、移動住宅などを軽量化するための、床、仕切りパネル、内装、備付け家具として用いる方法。
【請求項５０】
請求項１〜２５のいずれか一項に記載の建材ボードまたは構造ユニットの使用方法において、ホール、寝台、スタンドの製造および、会議、展示会、プレゼンテーションおよびマーケット業界における設営および造成のために用いる方法。
【請求項５１】
請求項１〜２５のいずれか一項に記載の建材ボードまたは構造ユニットの使用方法において、家具の製造および、屋内設備および建造物の装備などを対象に用いる方法。
【請求項５２】
請求項１〜２５または２６のいずれか一項に記載の建材ボードまたは構造ユニットの使用方法において、楽器の製造、好適にはスピーカーボックスなどの音放出装置の共鳴および振動板として、とくに(弦)楽器のカバーおよび底面として用いる方法。
【請求項５３】
請求項１〜２５のいずれか一項に記載の、好適には厚さを最大１０ｍｍとした薄い、ただしカバー板を持たない傾斜繊維コア層の利用方法において、仕上げ下地またはしっくい保持板として、および／または硬化用バインダ、とくにコンクリートなどのための接着層として用いる方法。
【請求項５４】
請求項１〜２６のいずれか一項に記載の建材ボードまたは構造ユニットにおいて、
これらの請求項に記載する、カバー板を有さない傾斜繊維コア層（５）によって構成する建材ボードまたは構造ユニット。
【発明の詳細な説明】
【技術分野】
【０００１】
本発明は、多層構造を有する新建材ボード（パネル）または構造ユニット、とくに構造用、壁用、仕切りパネル用、支持用等のユニットであって、好適には木材または木質材料をベースとして構成し、互いに離間しかつ平行に配置した２個のカバー層、および、これらカバー層間に配置および結合した少なくとも１個のコア層によって構成する建材ボードまたは構造ユニット、およびこの新建材ボードの製造方法および利用方法に関する。
【背景技術】
【０００２】
種々の目的のために、種々の原理に基づいて組み立てられた、ほぼ板状および／または梁状の建築用、構造用、荷重支持用、壁用および／または仕切りパネル用のユニットが多数知られており、例えば、既存構体に設置するための層状構成の構造用ユニットがあり、このユニットは、建物、構造体、ならびに可動構造体、間仕切り等の、新設、増設、改修、装飾するため、および展示会、会議、プレゼンテーション、マーケット、ならびに構造体における構造を装備するためのボード、間仕切り等、とくに、断熱用および音響用等のための内張り、または家具および展示の製作業界、並びに自動車、ボートまたは船舶を構成する際の表装および内張り素子、トレーラ、移動住宅等の装備、または建築および建設補助装置、例えば、ビル建設などにおける型枠等に使用され、今日、さらに使用の範囲が広がっている。
【０００３】
実際的に得られた特別な経験、ならびに適切な開発作業の一部である広範囲にわたる一連の試行に基づいて、新たなタイプの建材ボードまたは構造ユニット等を製造することに成功してきており、大幅な軽量化、強度、防音性および断熱性、ならびにその他の有利な物理的、構造技術的、物理学および生物学的な、特性値をほぼ向上させ、た。とくに、この建材ボードまたは構造ユニットを、特に好適な方法で、生物学的材料から製造するとき、または少なくとも大部分を生物学的材料で製造するとき、したがって、天然の、自然に生育した木材または木質材料によって製造するとき、高い使用品質および環境に優しい特徴、さらに生分解性を備え、これにより廃棄処分に関しても高い品質を有する。
【発明の開示】
【発明が解決しようとする課題】
【０００４】
本発明の課題は、特許請求の範囲における請求項１の前段に記載した上述の建材ボード（パネル）または構造ユニットであって、とくに支持用、構造用、壁用、仕切りパネル用および、断熱用、防音用、耐火用等の素子であって、請求項１の特徴部分に記載の特徴および特徴の組み合わせを有する建材ボードまたは構造ユニットを得ることにある。
【課題を解決するための手段】
【０００５】
本発明の特徴によれば、強制的にコア層の繊維または組織配向方向を、新建材ボードの主方向に対してほぼ垂直ではなく、意図的に鋭角の角度をなすように備える。
【発明の効果】
【０００６】
これにより、高い機械的強度および抵抗力、防振および断熱特性を十分に備える一方で、構造的に見て物理学および生物学的に有益である、湿気等が交差方向に拡散するという補償効果によって生ずる。同時に、新建材ボードによれば、新たな構造ユニットは、とくに高い機械的な荷重支持能力および保持能力を有し、また、単位面積当たりの荷重支持能力も高くなる。
【０００７】
木材が繊維方向に収縮または膨張する傾向は、例えば周囲の湿度が変化する場合、非常に小さく最大で約１％である。このため環境条件が変化しても、繊維を傾斜させたことにより、好適にはカバー層よりもほぼ大きな厚さを有する傾斜繊維コア層の厚さを比較的一定に保つことができ、これによって構造ユニット全体または新たな建材ボード全体の厚さも比較的一定に保つことが保障される。
【発明を実施するための最良の形態】
【０００８】
本発明による新建材ボードまたは新構造ユニット等は、カバー層と比べて比較的厚く、このため建材ボードまたは構造ユニットの総体積のうち比較的大きな割合を占めるコア層、すなわち傾斜繊維層において、それぞれ一般的な、およびそれぞれ市況に適応した、可能な限り低コストかつ、好適にはむしろ非常に価値が低い木材、廃材、およびとくに軽量木材を大量に使用することができる。いずれにせよ、これにより建材ボードまたは構造ユニットの安定性および強度を犠牲にすることなく、当初から大幅にコストを低減できる。
【０００９】
本発明による新建材ボードまたは新構造ユニットは、傾斜繊維層の繊維または組織配向を「傾斜配置」したことにより、比較的薄い木材、および／または曲げ強度が比較的小さい木材でも使用することができ、それにもかかわらず、これらの木材が繊維方向に対して傾斜した圧力の作用に対し非常に安定である点で、さらに本質的に有利である。これにより、今まで達成不能であった低い体積密度を有する、機械的に安定な建材ボードを得ることができる。また、新規なボード、支持体等を、必要または所望に応じて薄く構成することもできる。本明細書で、頻繁に使用する用語「建材ボード」は、単に構造上の骨組みおよび仕切りパネル用ボードに限定されず、例えば建造物および部屋の装飾、家具および設備産業など様々な他の目的のために使用される一般的な板材、並びに、建設および、サウンドシステムを収容する設備などの他の目的のため、種々の支持用および間仕切り用のユニットなども含まれることを強調したい。
【００１０】
請求項１に記載の実施形態によれば、今日ますます要求が高まりつつあることから、新たな建材ボードまたは構造ユニット等などの重量または質量を大きく減少させ、また、これにより建材ボードまたは構造ユニットの取り扱い易さおよび移動性を、高い安定性と機械的強度を保持したまま大きく向上するために、好適には木材によって構成する傾斜繊維層に多数個の傾斜キャビティ、窪み、切込み、孔などを設ける。これらの傾斜キャビティ、窪み、切込み、孔を、傾斜繊維層を完全に貫通させ、カバー層の延在方向に対してほぼ傾斜させたこの層を構成する材料、好適には木材の傾斜繊維または組織配向の方向に少なくともほぼ一致させ、特にこの方向に平行な方向に指向させる。
【００１１】
特許請求の範囲に記載したとくに好適な実施形態によれば、傾斜繊維コア層に、傾斜した繊維方向に一致するように指向させた傾斜キャビティを設けることにより新建材ボードの重量を大幅に減少できる。しかし、予期されほどに、ボードの強度は決して大幅に低下しないことが分かったことに基づいて有利である。さらに、ボード面に交差する方向への（湿気）拡散能力および湿度補償が、このボードによって大きく向上するため、生物学的にみて、構造上有利である。
【００１２】
ここに、とくにプラスチックで結合した木材、いわゆる「ウッドプラスチック」を用いる場合、コア層の木質材料には繊維の傾斜配置がないことを指摘する。木質材料の密度が高いため、繊維の傾斜配置がないことの影響は小さいことを指摘する。重要なのは、コア層のキャビティを傾斜させて設けることにある。
【００１３】
請求項２〜９には、本発明による新規な建材ボード等の種々の好適な実施形態を記載する。請求項３および４によれば、場合によっては傾斜キャビティコア層を有するウッドプラスチックを使用すると有利である。この材料は、基本的には、本発明による建材ボードのすべての実施形態において使用できる。
【００１４】
請求項１０および１１において、本発明による新規な建材ボードまたは構造ユニット等の設計、品質および特性に関して好適な実施形態、垂直方向キャビティの有利な形状および分布、ならびに傾斜繊維層または傾斜キャビティ層におけるキャビティ容積と木材質との間における好適な容積比率に関して詳細に説明する。
【００１５】
本発明による新規な建材ボード、およびこの建材ボードの加工および処理を実行する際の非常に重要な利点は以下通りである。すなわち、キャビティを傾斜配置し、木材を使用する場合はその繊維方向も傾斜させ、またこれによりコア層の残りの木質材料も傾斜させることにより、このボードを、木材または木材繊維材料またはウッドプラスチックと同様に、従来のようにねじ付け、釘打ち、ドリル、加工等ができる。これは、多数個の固定した木質材料のリブ等を傾斜配置したことにより、例えばすべてのねじをいかなる場合にも、傾斜した傾斜キャビティ間の木質材料に固定できることによる。コア層を「正」および「負」の角度で傾斜させた傾斜繊維細条または傾斜空洞細条によって構成すると、板材（ボード）の均質性がさらに向上することが保証される。キャビティを傾斜させて設けることにより、カバー層をコア層に、より広い木材表面において結合でき、また垂直に切断する場合にはキャビティを長手方向に切断する恐れがない。さらに、重要なことは、キャビティ間の固定の木質材料またはリブの傾斜配置により、木材または木質材料が側面においても傾斜することである。これにより、より多くの木質材料を新たな建材ボードの側方側面および短い端縁において接着することができ、その結果、特に端縁も非常に安定かつ強固になる。
【００１６】
建設に木材を使用する場合、防火を意識することが極めて重要である。
【００１７】
請求項１２に記載する傾斜キャビティの内壁に対する膨張高分子物質のコーティングは、僅かな層の厚さで、簡単な方法、好適には製造工程の途中でこれらのキャビティに単に挿入するノズルで噴霧することによって施すことができる。このようなコーティングにより、火災時に熱により発泡する高分子がキャビティ内を満たすため、とくに空気が進入するのを妨げることができ、極めて確実に防火できる。
【００１８】
さらに、請求項１３に記載の実施形態によれば、とくに低い密度の発泡体によって傾斜キャビティを充填でき、これにより一方で防火性が向上し、他方で傾斜キャビティから、例えば加工による残留粒子が崩れて排出され、接着を阻害することを回避できる。
【００１９】
特に低コストで製造するには、請求項１４〜１８に詳細を記載する実施形態では、本発明による新規な建材ボードまたは構造ユニット等における傾斜繊維細条を、傾斜繊維層または傾斜キャビティ層で形成するとよい。
【００２０】
請求項１９〜２１には、機械的強度および歪み強度をさらに向上するため、本発明による新規な建材ボード等の有利な実施形態を開示する。この実施形態において、傾斜繊維層内に強化または補強細条を「保持」することにより強度を向上する。この強化または補強細条を、好適には木材によって構成するが、特別な場合において安全プレートのように、例えばプラスチックまたは金属など、他の材料を用いることもできる。
【００２１】
請求項２２および２３には、補強細条に対するカバー層の好適な実施形態、および、重量を可能な限り減少することに関して好適な、本発明による新規な建材ボードまたは構造ユニット等における傾斜繊維‐傾斜キャビティ層のための有利な木質材料を開示する。
【００２２】
請求項２４には、建材ボードのカバー層において好適に使用できる、互いに同一または異なる木材を記載する。
【００２３】
本発明による新規な建材ボルトまたは構造ユニット等における側面のコーティング、すなわち狭い側方側面のコーティングに関しては、請求項２５に詳細の情報を記載する。
【００２４】
請求項２６には、線形的に湾曲させた建材ボードを記載する。このような建材ボードを、アーチ状の建造物または、アーチ状の建造物のためのパネルとして用いることができる。
【００２５】
本発明は決して、上述した種々の目的のためのボード等だけに限定されない。本発明を、建設業界における支持ユニット、ブラケット等、したがって、主に長手方向に延在する、荷重支持機能を備えた構造素子も意図する。これら構造素子は、高い機械的強度と、木材に固有の有利な特性とを兼備するという利点を有する。
【００２６】
請求項２７および２８には、多数個の特別に目的に対応させたおよび目的を満たす、本発明による新規な建材ボードまたは構造ユニット等の形態を開示する。これら形態を有する新建材ボードまたは構造ユニットを、一方で吸音素子または吸音プレートとして、他方で拡声装置、音響再生装置および楽器を製造する際に、音発生、音増幅または共鳴素子として、および他方で全く異なる目的、すなわち特に不法進入者防護作用を有するドアにおける、高い強度を備えたドアリーフとして用いることができる。
【００２７】
請求項２７記載の吸音板材を居住空間およびスタジオなどのワークプレース空間において設置する。そのための好適な材料は木材であることから、防火性を最重要視する必要がある。傾斜繊維コア層における傾斜キャビティの内壁に、防火高分子によって薄い被膜を設けると、すべて木材によって構成する板材の厚さが僅か２ｃｍで、このため傾斜キャビティの深さが僅か１．５ｃｍである場合にも、問題なく防火作用を付与するのに十分であることがわかった。この吸音板材は確実に耐火等級Ｆ９０（耐火作用が少なくとも９０分間）に適合し、多くの場合このＦ９０値を大きく上回る。
【００２８】
新たな建材ボードの防火性との関連において、一般的に以下の点を説明する。
【００２９】
例えばビルの天井を、木材のみによって構成した本発明の建材ボードによって、例えばサンドイッチ構造かつ多層構造で構成する場合、適切な試験によって証明されたように、万が一起こりうる火災により影響を受ける面またはその恐れがある面、すなわち例えば天井では目に見える側の面または裏面に、上述の防火高分子を傾斜キャビティに設けた本発明の基本構造を有する薄い板材を備えれば十分である。多数個の層によって天井自体を構成する、例えば木材製の積層材などには防火コーティング等を設ける必要が全くないにも関わらず、このような簡単な方法によって十分な防火性を付与できる。当然、上述の天井の両側に、防火高分子を有する防火建材ボードを設けることもできる。
【００３０】
請求項２８の後半部分に記載の、本発明による新規な建材ボードの特別な実施形態は、荷重支持床、天井、壁ユニットなど高い防火性を要するものに特に適する。この種のボードを、例えば鉄道、自動車、船舶および航空機の建造にも用いることができ、さらに、トンネルなどの交通用の構造物、安全ドアリーフなどにも用いることができる。
【００３１】
請求項２９は、本発明の範囲で、壁用、間仕切り用、天井用等のユニットのとくに好適な実施形態に関する。これら壁用、間仕切り用、天井用のユニットにおいて、本発明のとくに基本構成における建材ボードを使用することにより、断熱および吸音作用を得る。
【００３２】
高い防火安全性を達成するための上述の実施形態に関しては、請求項３０に記載の建材ボード、構造ユニット等の実施形態がとくに好適である。この実施形態では、「Ｆ９０」において要求される防火安全値をいずれの場合にも常に達成するが、多くの場合ではこの防火安全値をさらに上回るため、木材を基本材料として、新たな建材ボードまたは構造ユニットの基礎をなすことに対するいかなる懸念も払拭できる。この請求項に記載するように、好適に難燃性および耐火性の木材に関しては、垂直繊維層において低品質の、例えばオーク材などの耐火性の木材を使用すれば十分であるため有利である。このような木材は低品質であるため他に用途を見出せず、そのため非常に低コストで入手できる。
【００３３】
請求項３１および３２は、建設業におけるそれぞれ特別な用途を意図する、本発明の新たな傾斜キャビティ建材ボードを使用した壁用、天井用等のユニットにおける他の好適な実施形態に関する。
【００３４】
請求項３３には、機械的にとくに安定した構造にする、高い吸音および断熱特性を備えた本発明の建材ボードによる実施形態を記載する。
【００３５】
請求項３４および３５は、上述の壁用または天井用のユニットまたはボード等を目的とし、これらの壁用または天井用のユニットまたはボードの上面で荷重支持コンクリート等にしっかりと付着させて結合するために、とりわけ本発明の傾斜繊維コア層を接着促進層および仕上げ下地層として備え、この傾斜繊維コア層に仕上げ層を設けるか、初めから完成した石膏（しっくい）コーティングを備えることができるものとする。
【００３６】
請求項３６は、本発明の断熱および吸音作用を有する建材ボードを備えた壁ユニット等に関する。この壁素子を現場で、すなわち直接、設置場所において製造するか、または完成素子として予め製造しておいて用いることができる。
【００３７】
請求項３４〜３６には、厚さが小さく、カバー層を持たない本発明の傾斜繊維コア層を、仕上げ下地として使用する選択肢について言及する。
【００３８】
請求項３７および３８は、操作性が良く、重量が小さいという点で他と区別される壁素子、壁ボード等を目的とする。この壁素子または壁ボードは、特に頻繁に場所を移動する場合のために設ける簡易建造物、建造物における備付け備品、展示用途、展示会における建造物などに適するものとし、これら目に見えるまたは表面構造を伝統的な手段または周知の方法によって設ける。
【００３９】
請求項３９〜４３は、本発明の範囲において特に好適な、極めて経済的な製造方法を有する点で他と区別される、新建築材ボードを製造する方法のとくに有利な実施形態に関する。この製造方法は、本発明の範囲において特に好適な、全体的にまたは少なくとも大部分を木材または木質材料によって構成する場合に用いる。ここで、これらの請求項に記載の方法は一見費用がかかる、多くの段階にわたる方法であるにも関わらず、特に高い製造経済性を有する点で他と区別されることを簡単に言及する。これは、すべての方法ステップを問題なく完全に自動化でき、そのため人件費を最小限にできることによる。
【００４０】
請求項４４〜５３は、傾斜繊維および傾斜キャビティコア層を有する新たな建材ボードの様々な目的のための使用方法に関する。
【００４１】
最後に請求項５４には、カバー層によって保護しない、新たな傾斜繊維および傾斜キャビティコア層自体を記載する。
【００４２】
次に、図面につき本発明の詳細を説明する。
【実施例１】
【００４３】
図１に示す建材ボード１は、下側カバー層３および上側カバー層４を有し、これらカバー層間には傾斜繊維コア層５を配置する。この傾斜繊維コア層５の正の角度で傾斜した繊維（きめ）は角度＋αとし、この角度＋αは、下側カバー層３の長手方向に対し、２５°または３０°〜８０°、とくに４０°〜６０°、好適には４０°〜５０°、特別の場合には約４５°とする。双方のカバー層３，４は、図示のように右から左への同一の繊維（きめ）方向を有し、また同一の層厚ｄｄ３およびｄｄ４を有する。しかし、明瞭な繊維配向方向を持たない薄い均質層またはウッドプラスチック層を、カバー層３，４として用いることもできる。
【００４４】
同様に図示した、傾斜繊維コア層５の正方向に傾斜した繊維方向に平行に、この傾斜繊維コア層５において正の角度に傾斜した傾斜キャビティ６を設け、この傾斜キャビティ６を好適には均一に分布させ、かつ好適にはすべて同じ形状に成形し、図においては例えば円形の横断面を有するものとする。この傾斜キャビティ６は、傾斜繊維コア層５の繊維と同様に、下側カバー層３に対して正の角度＋αをなす。層３，４および５を、例えば熱活性化接着剤によって、互いに面全体で結合する。
【００４５】
図１の左側には、右側の建材ボードとは負の方向に傾斜した傾斜繊維および負の方向に傾斜した傾斜キャビティ６′を有する傾斜繊維コア層５の点で異なり、他はほぼ同様に構成した建材ボードを示す。負の角度に傾斜した傾斜繊維、およびこれに平行な負の角度に傾斜した傾斜キャビティ６′は、同じ大きさで、ただし反対側を指向する角度、すなわち下側カバー層３の長手方向に対して「負」の鋭角角度−αをなす。とくに好適には、角度＋αおよび−αを、＋４５°または−４５°とする。
【００４６】
好適には、傾斜キャビティ６，６′の壁に、熱で膨張可能な防火物質をスプレーまたはコーティングする。
【実施例２】
【００４７】
図２において、上述の実施例と同一部分に対して同一の参照符号を付して、正の角度に傾斜する繊維を有する細条（正傾斜繊維細条）５０を示す。この正傾斜繊維細条５０の正の角度に傾斜した構造および正の角度に傾斜したキャビティ６は、下側カバー層３に対し正の鋭角角度＋αをなすものとし、また右側に示す負の角度に傾斜した傾斜繊維細条５０′における、負の角度に傾斜した構造および負の角度に傾斜した傾斜キャビティ６′は、下側カバー層３に対し、負の方向で同一大きさの角度−αをなすものとする。
【００４８】
正および負の角度で傾斜する傾斜繊維細条５０，５０′を、例えばそれぞれ交互に互いに反対方向に指向するよう配置し、また（図２では間隔を拡大して示すが）互いに接着する。最終的にはこれによって、多数個互いに接触させた正および負の傾斜繊維細条５０，５０′を有する傾斜繊維コア層５を構成する。傾斜繊維コア層５の上側と下側には、両方のカバー層３，４を材料結合によって接合し、これにより軽量建材ボード１を形成する。この軽量建材ボード１において傾斜キャビティ６，６′間のリブを傾斜させたことにより、ねじなどの結合手段によって極めて確実に固定でき、同時に、強度に関して全体的に均質性が高くなる。
【００４９】
この図２において、（上述の実施例と同一部分には同一符号を付して説明する）、図１に示すように多数個の互いに接合する傾斜繊維細条５０，５０′のうち１個を、線図的に間隔を拡大して示す。これらの傾斜繊維細条の図示した形態では、長さｌｖのほぼ梁状ベースを有する。細条５０，５０′の高さｈｋを、建材ボードの必要とする全体厚さに応じて変更できる。これら傾斜繊維細条は、ベースまたはくし梁５３がある櫛形断面を有し、このベースに対して直交する方向に突出して端面５３１で終端する傾斜したくし歯状突出部５２を設け、これらくし歯状突出部５２は互いに同一形状にする。くし歯状突出部５２間には、同様に互いに同一形状を有するインサートまたは歯間空間５４または６，６′が位置する。これらインサートまたは歯間空間５４は最終的に正および負の傾斜キャビティ６，６′を傾斜繊維コア層５において構成する。このくし梁５３は、幅ｂｂ、くし歯状突出部５２は幅ｂｚ、くし歯状突出部間の歯間空間５４，６，６′は幅ｂｒを有する。好適には、これらの幅ｂｂ、ｂｒ、ｂｚを互いに等しくする。傾斜繊維細条５０，５０′の木質部分の総横断面積をＱｍとする。
【実施例３】
【００５０】
本発明によれば、上述の実施例と同一部分に同一の符号を付して示した図３に線図的に拡大して示すように、２個の層Ｔ１，Ｔ２を有する傾斜繊維コア層５にカバー層３，４を設けた建材ボード１によって、とくに高い強度を有することが分かっている。下側部分層Ｔ１を、１個ずつ交互に備えた負および正の傾斜繊維細条５０，５０′によって構成し、これらの傾斜繊維細条５０，５０′を観察者に対してほぼ平行に配列する。この第１部分層Ｔ１に対して、木製の中間層Ｚｌを接合し、この中間層Ｚｌ上に下側部分層Ｔ１と同様に構成した、第２の上側部分層Ｔ２を接合する。この上側部分層Ｔ２の傾斜繊維−傾斜キャビティ細条５０，５０′を、第１部分層Ｔ１のキャビティ細条５０，５０′に直交する方向、すなわち観察者の方向に指向するよう配列する。このように部分層Ｔ１，Ｔ２を互いに９０°回転させた構成により、新建材ボード１に高い強度、安定性および全体的な均質性を付与できる。
【００５１】
ここで、第２部分層Ｔ２は、用途に応じて、第１部分層Ｔ１に対し直角以外の任意の角度で配置することができることを強調する。したがって、特別な目的では、第１部分層Ｔ１に平行に配置することもできる。中間層Ｚｌは必ずしも設けなくてもよい。
【実施例４】
【００５２】
図４には、新しい建材ボードの傾斜繊維コア層５を製造するための好適な実施例を示す。図において詳細に示さないが、まず厚板５８において、厚板の長手方向、すなわち繊維配向方向に、繊維に平行な溝６０を切削加工する。
【００５３】
溝付き厚板５８の代わりに、最初から長手方向溝６０を有する状態となるよう、例えば押出し成形によって製造した厚板を用いることもできる。
【００５４】
それぞれの場合において、中心線ｍｌに対して厚板５８を角度＋βおよび−β、好適には＋４５°および−４５°なすよう配置した状態を示し、この角度は、同時に厚板５８の加工方向ＶＲ、または傾斜配置した各厚板５８の連続的を前方移動方向とする。図示しないホットプレスＨＰによって、合わせた、溝６０を有する２個の厚板５８を互いに交差させて処理方向ＶＲに挿入する状態を示す。付加的な溝付き厚板５８を、各厚板５８の側方に直接隣接させ、それぞれ上下および左右に同様に交差させて連続的に挿入する。
【００５５】
図４に示す手順では、互いに交差させて挿入し、上下に重ね合わせて配置した溝付き厚板５８の層間に、例えば一様な木材によって構成した薄い中間層板Ｚｌを連続的に挿入する。さらに、この場合、厚板５８は、それぞれの溝開口を互いに向き合わせて配置する。ここで、中間層Ｚｌの挿入が必須ではないことを強調する。中間層を挿入しない場合、両方の層の厚板５８における溝６０を、同一の側に指向させると有利である。
【００５６】
ここで、溝付き厚板５８は、溝開口を他の任意の位置に配置させて使用することができることを強調する。すなわち、例えば溝６０を同じ方向に開口させて設けることもできる。さらに、中間層Ｚｌを任意に挿入、配置することができ、また中心線ｍｌまたは加工方向ＶＲに対する角度＋βまたは−βを広範囲で変化させることができる。とくに好適には、角度＋βおよび−βを４０°〜５０°の範囲とし、ホットプレス対して交差させて挿入した２個の厚板５８の繊維および溝の長手方向を、互いにほぼ直交させて配置する。
【００５７】
図４に示すように配置して接合するようホットプレスＨＰで加工した後、２個の厚板層を、鋸ブレードの記号によって示した加工前進方向ＶＲまたは中心線ｍｌに対して直交する切断ラインＳに沿って、後のコア層５のそれぞれ必要とする強度または厚さにする（二重）傾斜繊維細条５０，５０′を切り取る。これを段階ＩＩに示す。
【００５８】
段階Ｉにおける中間層板Ｚｌからどのようにして補強または強化細条７を形成したかを明確に視覚化して示す。
【００５９】
段階ＩＩＩでは、(二重)傾斜繊維細条５０，５０′を矢印で示すように、ここでは前方に、９０°転倒させ、この(二重)傾斜繊維細条５０，５０′を側方に並置させ、また長く広い側面に、他の(二重)傾斜繊維細条５０，５０′配列して、接着剤などによって互いに接合する。
【００６０】
最終的に二次元的に互いに接合した(二重)傾斜繊維細条５０，５０′は、全体として傾斜繊維コア層５を形成し、この傾斜繊維コア層５の下側および上側にそれぞれ、図示しないカバー層３，４を接合するか、またはホットメルトによって接着する。
【００６１】
溝切削工具で長手方向溝付き厚板５８を製造した直後または、溝形成プレス金型を取り外した後にウッドプラスチック材料を挿入する際に、厚板５８の溝６０に防火物質層を注入すると有利である。
【００６２】
同様に、接着剤を、厚板５８、中間層Ｚｌおよび、後でカバー層３，４に対して塗布し、この塗布は、新たな連続製造プロセスにおける有利な時点で行う。接着剤の硬化、または活性化および硬化は、溝６０またはこの溝６０によって構成する傾斜キャビティ６，６′内に熱風を吹き込むことによって行うと有利である。
【００６３】
図５には、厚板５８から始まり、建材ボード１を完成させるまでの、建材ボードの好適かつ合理的な製造を、例としてステップａ〜ｋによって詳細に説明する。
ステップａ：厚板５８から枝部を除去し、これによって生ずる枝孔を作業中に塞ぐ。
ステップｂ：必要な長さの厚板を形成するため、厚板５８をほぞ溝切削装置によりほぞ溝を形成し、これらを接合して「無端」厚板とする。
ステップｃ：「無端」厚板の４個の側面を、上面および側面平削り装置によって平削りする。
ステップｄ：互いに平行な、図示の実施例では長方形の、溝６０を、「無端」厚板５８において長手方向に、木材繊維に平行に切削して設ける。
ステップｅ：溝付き厚板５８の端部を、丸鋸等によって４５°傾斜させて切断し、切り取る。
ステップｆ：番号付けした厚板５８の層を作業進行方向ＶＲに対して角度＋４５°および−４５°をなすよう順次にかつ交互に配列することにより、また、詳細を図示しないが、このこれら厚板を周期的なホットプレスによって接着することにより、６連マットを形成する。
状態ｇ：ステップｆで構成した六連マットを、互いに交互に９０°交差させた厚板５８による６個の層によって構成し、これらの層は、溝６０が互いに交差する。
ステップｈ：鋸を、６重マットの前面に平行に切断ラインＳに沿って案内し、切断ラインＳ間の間隔を、製造すべき建材ボードの所要厚さに対応させる。
ステップおよび状態ｊ：ステップｈで構成した６重傾斜繊維細条５０，５０′を前方または右に９０°転回し、図示しないが、６重傾斜繊維細条５０，５０′，５０，５０′，５０，５０′を側面において互いに接着し、コア層５を構成する。
ステップｋ：建材ボード１を構成する際に、下側カバー層３および上側カバー層４を傾斜繊維細条５０，５０′によって構成する傾斜繊維コア層５に接着する。
【００６４】
続いて、必要ならば側方側面を、例えば木製の側面層によって覆う。
【００６５】
図６では、上述の実施例と同一部分に同一符号を付して示し、上述した２個の建材ボード１，１′により形成した壁ユニット９の斜視図を示す。これらの建材ボード１，１′は、上述したように、例えば断熱ボードなどのパネルボードとして機能するものとする。
【００６６】
２個の建材ボード１，１′の内側を型枠ボードとして機能させ、互いに間隔をあけて、位置を安定化して配置する。この際に、両者間の間隔９０には、均一に分布させ、例えばプラスチック製の管状部材によって形成した間隔維持素子９１を交差配置し、この間隔を橋渡しする。間隔９０には補強ロッド９２を挿入する。
【００６７】
建材ボード１，１′の内側には接着促進層１９を設け、この接着促進層１９は、例えば、耐湿性で、好適には水蒸気を通過させる表面を砂で被覆加工したエポキシ樹脂をベースとする。
【００６８】
２個の建材ボード１，１′の間の間隔９０には、例えば軽量コンクリート９５を注入し、これにより、内部が依然として空洞である間隔維持素子９１の周囲を注型し、またコンクリート９５が、いわゆる“「無型枠」を構成する建材ボード１，１′に結合する。
【００６９】
コンクリート９５が硬化すると、安定した壁ユニットまたは、この種の既製壁素子９が得られ、壁ユニットの両側には完成した断熱および防音仕切りボード１，１′が得られる。ボード１，１′の外側には、例えば仕上げ用ネットによって仕上げ下地１８１を設けるか、または既製の石膏ボード１８を設けることができる。とくに好適には、本発明によるカバー層を持たない薄い傾斜繊維−傾斜キャビティコア層を使用する場合、仕上げ下地１８１を使用する。
【００７０】
間隔維持素子９１を中空の管状部材として形成すると、この管状部材内で、水蒸気が壁９を横切って拡散できる点で有利である。当然、他の任意なタイプのスペーサ素子９１を使用することもできる。
【００７１】
図７において、上述の実施例と同一部分には同一符号付して示し、図６に示す壁ユニット、またはこれに対応する壁、または壁部材９′を、現場において製造する場合の実際の手順を示す。この図は、２個の、初期的には型枠ボードとして機能し最終的に壁部材の仕切りを構成する建材ボード１，１′を、変形、特に膨出を防ぐために、保持梁９０１，９０２等、および蝶ナットを有する貫通ねじシャフト９０３によって、外側面の所定位置に保持し、この後、補強鉄筋９２を収容するボード１，１′間の中間空間９０にコンクリート９５等を充填する手法を示す。
【００７２】
図８において、上述の実施例と同一部分には同一符号を付して示し、天井９″の製造方法を線図的に示す。この場合、天井９″は、ねじ支持体９０５および保持梁９０１によって保持するやはり「無型枠」とし、補強鉄筋９２を配置した後に本発明による建材ボード１上にコンクリート９５を注型することによって構成する。コンクリート９５が固化した後、支持構体９０１，９０５を取り除き、これにより、例えば騒音減衰または防音パネルを天井に備えた、完成コンクリート天井９′′が得られる。
【００７３】
図９において、上述の実施例と同一部分には同一符号を付して、別の壁ユニット９´´´を示す。この壁ユニット９´´´ は、建材ボード１と、この建材ボード１の両側に接合する市販のサンドイッチタイプの石膏（しっくい）ボード１９０とによって構成する。右側の石膏（しっくい）ボードには、本発明による薄い傾斜繊維傾斜キャビティコア層５を仕上げ下地として設ける。
【００７４】
サンドイッチ石膏ボード１９０の代わりに、高い耐火性を有する防火無機繊維ボードを用いることもできる。これにより、とくにコア層５のキャビティ６に膨張する防火物質をコーティングする場合、Ｆ９０難燃性を有する壁が得られる。
【００７５】
図１０において、上述の実施例と同一部分には同一符号を付して、より構造が簡単な、例えば間仕切り素子９ＩＶなどとして直接適用できる建材ボード１を示す。この間仕切り素子９ＩＶでは、傾斜繊維傾斜キャビティコア層５上に２個のカバー層３，４自体を、サンドイッチ石膏ボード１９０等によって構成する。
【００７６】
図１１において、上述の実施例と同一部分には同一符号を付して、３個の互いに平行かつ離間させて備えた建築用板材１，１′，１″によって構成する壁ユニット９Ｖ を示す。この壁ユニット９Ｖ では、それぞれの建材ボード１，１′，１″間に位置する２個の中間空間９０にスペーサ素子９１を配置する。これらのスペーサ素子９１は、例えば原理を図１および図２に示したように、複数個の互いに結合した、適切に簡単に形成した傾斜繊維体５１によって構成する。
【００７７】
図１２においては、上述の実施例と同一部分には同一符号を付して、音響的にニュートラルな空間のための音響または吸音パネル板として構成した建材ボード１を示す。この建材ボード１は、例えば図１に示す建材ボード１とは、音源側のカバー層４に、このカバー層４を貫通する、ここでは楕円形の吸音開口４１を設けた点で異なる。この吸音開口４１により表出した傾斜繊維層に、音が開口４１を通ってアクセス可能となり、この傾斜繊維層５が有する傾斜キャビティ６，６′を、多重反射により音エネルギーを減衰する吸音キャビティとして機能させる。
【００７８】
図６〜図１２につき簡単に説明したところは、使用する建材ボード１が、象徴的に斜線で示した少なくとも１個の傾斜繊維コア層５を有し、好適にはこの傾斜繊維コア層５を単一または多重の傾斜繊維細条５０，５０′によって構成し、この傾斜繊維コア層５は、常に個別に組み合わせて形成することができる。
【００７９】
とくにコア層の木質材料が明確な繊維（きめ）を持たないウッドプラスチック材料を使用する場合、明細書、特許請求の範囲および図において、細条、層等に関連して使用する表現「傾斜繊維(slanted fiber)」は、「傾斜キャビティ」として読み取るべきであることをここに明記する。
【００８０】
図１３には、上述の実施例と同一部分には同一符号を付して、図では誇張して湾曲させた建材ボード１の一部を示す。この建材ボード１では、下側凹状カバー層３と上側凸状カバー層４との間に傾斜繊維傾斜キャビティ２重細条５０，５０′を補強細条７と共に備え、これら傾斜繊維傾斜キャビティ２重細条５０，５０′をそれぞれ下方の長手方向端縁において互いに衝合させ、かつそこから上側カバー層４に向かって外方に小さい鋭角の角度で互いに離れるように指向させる。
【００８１】
厚板に溝を形成する際に生ずる木質材料を、プラスチック産業における充填材料を生成するため、ウッドプラスチック用に、木製ガスおよび種々の誘導体を生成するため、メタミンおよびアルコールを製造するため、燃料等のために、有益な材料として使用することができることを、ここに明記する。
【図面の簡単な説明】
【００８２】
【図１】傾斜繊維および傾斜キャビティのコア層を有する新建材ボードの基本構造を示す斜視図である。
【図２】コア層を互いに順次に配列した正および負の傾斜繊維細条によって構成した、好適な新建材ボードの斜視図である。
【図３】２個の部分層によって構成する傾斜繊維コア層を有する建材ボードの分解斜視図である。
【図４】新建材ボードの傾斜繊維コア層を形成するための傾斜繊維細条の好適な製造タイプおよび配置を示す斜視図である。
【図５ａ】建材ボ-ドの製造における各段階を詳細に示す斜視図である。
【図５ｂ】建材ボ-ドの製造における各段階を詳細に示す斜視図である。
【図５ｃ】建材ボ-ドの製造における各段階を詳細に示す斜視図である。
【図５ｄ】建材ボ-ドの製造における各段階を詳細に示す斜視図である。
【図５ｅ】建材ボ-ドの製造における各段階を詳細に示す斜視図である。
【図５ｆ】建材ボ-ドの製造における各段階を詳細に示す斜視図である。
【図５ｇ】建材ボ-ドの製造における各段階を詳細に示す斜視図である。
【図５ｈ】建材ボ-ドの製造における各段階を詳細に示す斜視図である。
【図５ｊ】建材ボ-ドの製造における各段階を詳細に示す斜視図である。
【図５ｋ】建材ボ-ドの製造における各段階を詳細に示す斜視図である。
【図６】新建材ボードを両側に装備した壁ユニットの斜視図である。
【図７】現場において新建材ボードを用いて製造する壁片の、製造段階における縦断面図である。
【図８】最初から「無型枠」原理による本発明の新たな吸音および断熱建材ボードを装備したコンクリート天井の、現場における製造方法を示す図である。
【図９】新建材ボードをベースとする間仕切りユニットを示す図である。
【図１０】新建材ボードをベースとする間仕切りユニットを示す図である。
【図１１】新建材ボードによって形成した３層壁ユニットの縦断面図である。
【図１２】吸音ボードとして構成した本発明の建材ボードの斜視図である。
【図１３】湾曲させて構成した建材ボードの縦断面図である。
【図１】
2009513383.tif 000003
【図２】
2009513383.tif 000004
【図３】
2009513383.tif 000005
【図４】
2009513383.tif 000006
【図５−１】
2009513383.tif 000007
【図５−２】
2009513383.tif 000008
【図５−３】
2009513383.tif 000009
【図６】
2009513383.tif 000010
【図７】
2009513383.tif 000011
【図８】
2009513383.tif 000012
【図９】
2009513383.tif 000013
【図１０】
2009513383.tif 000014
【図１１】
2009513383.tif 000015
【図１２】
2009513383.tif 000016
【図１３】
2009513383.tif 000017
【手続補正書】
【提出日】平成20年8月1日(2008.8.1)
【手続補正１】
【補正対象書類名】明細書
【補正対象項目名】００６３
【補正方法】変更
【補正の内容】
【００６３】
図５には、厚板５８から始まり、建材ボード１を完成させるまでの、建材ボードの好適かつ合理的な製造を、例としてステップａ〜ｋによって詳細に説明する。
ステップａ：厚板５８から枝部を除去し、これによって生ずる枝孔を作業中に塞ぐ。
ステップｂ：必要な長さの厚板を形成するため、厚板５８をほぞ溝切削装置によりほぞ溝を形成し、これらを接合して「無端」厚板とする。
ステップｃ：「無端」厚板の４個の側面を、上面および側面平削り装置によって平削りする。
ステップｄ：互いに平行な、図示の実施例では長方形の、溝６０を、「無端」厚板５８において長手方向に、木材繊維に平行に切削して設ける。
ステップｅ：溝付き厚板５８の端部を、丸鋸等によって４５°傾斜させて切断し、切り取る。
ステップｆ：番号付けした厚板５８の層を作業進行方向ＶＲに対して角度＋４５°および−４５°をなすよう順次にかつ交互に配列することにより、また、詳細を図示しないが、このこれら厚板を周期的なホットプレスによって接着することにより、６連マットを形成する。
状態ｇ：ステップｆで構成した六連マットを、互いに交互に９０°交差させた厚板５８による６個の層によって構成し、これらの層は、溝６０が互いに交差する。
ステップｈ：鋸を、６重マットの前面に平行に切断ラインＳに沿って案内し、切断ラインＳ間の間隔を、製造すべき建材ボードの所要厚さに対応させる。
ステップおよび状態ｉ：ステップｈで構成した６重傾斜繊維細条５０，５０′を前方または右に９０°転回し、図示しないが、６重傾斜繊維細条５０，５０′，５０，５０′，５０，５０′を側面において互いに接着し、コア層５を構成する。
ステップｊ：建材ボード１を構成する際に、下側カバー層３および上側カバー層４を傾斜繊維細条５０，５０′によって構成する傾斜繊維コア層５に接着する。
【手続補正２】
【補正対象書類名】明細書
【補正対象項目名】図面の簡単な説明
【補正方法】変更
【補正の内容】
【図面の簡単な説明】
【００８２】
【図１】傾斜繊維および傾斜キャビティのコア層を有する新建材ボードの基本構造を示す斜視図である。
【図２】コア層を互いに順次に配列した正および負の傾斜繊維細条によって構成した、好適な新建材ボードの斜視図である。
【図３】２個の部分層によって構成する傾斜繊維コア層を有する建材ボードの分解斜視図である。
【図４】新建材ボードの傾斜繊維コア層を形成するための傾斜繊維細条の好適な製造タイプおよび配置を示す斜視図である。
【図５−１】a〜ｄは、建材ボ-ドの製造における各段階を詳細に示す斜視図である。
【図５−２】e〜ｈは、健材ボ-ドの製造における各段階を詳細に示す斜視図である。
【図５−３】ｉ〜jは、建材ボ-ドの製造における各段階を詳細に示す斜視図である。
【図６】新建材ボードを両側に装備した壁ユニットの斜視図である。
【図７】現場において新建材ボードを用いて製造する壁片の、製造段階における縦断面図である。
【図８】最初から「無型枠」原理による本発明の新たな吸音および断熱建材ボードを装備したコンクリート天井の、現場における製造方法を示す図である。
【図９】新建材ボードをベースとする間仕切りユニットを示す図である。
【図１０】新建材ボードをベースとする間仕切りユニットを示す図である。
【図１１】新建材ボードによって形成した３層壁ユニットの縦断面図である。
【図１２】吸音ボードとして構成した本発明の建材ボードの斜視図である。
【図１３】湾曲させて構成した建材ボードの縦断面図である。
【手続補正３】
【補正対象書類名】図面
【補正対象項目名】図５−１
【補正方法】変更
【補正の内容】
【図５−１】
2009513383.tif 000018
【手続補正４】
【補正対象書類名】図面
【補正対象項目名】図５−２
【補正方法】変更
【補正の内容】
【図５−２】
2009513383.tif 000019
【手続補正５】
【補正対象書類名】図面
【補正対象項目名】図５−３
【補正方法】変更
【補正の内容】
【図５−３】
2009513383.tif 000020
【国際調査報告】
2009513383.tif 000021
2009513383.tif 000022
2009513383.tif 000023
2009513383.tif 000024
2009513383.tif 000025
2009513383.tif 000026
2009513383.tif 000027
2009513383.tif 000028